(57)【要約】【課題】物干し竿を所望の高さに容易に昇降させ、物干し竿をその高さで確実に保持することができる物干し装置を提供する。【解決手段】巻取部４ａ，４ｂ、巻上バネ部５、第１ロック部６および第２ロック部７は連結部材８１により連結されている。巻取部４ａ，４ｂから紐部材３１ａ，３１ｂが垂下している。紐部材３１ａ，３１ｂの下端部には竿部材が取り付けられている。巻上バネ部５は、巻取部４ａ，４ｂが紐部材３１ａ，３１ｂを巻き取るように巻取部４ａ，４ｂを付勢する。第１ロック部６は、巻取部４ａ，４ｂによる紐部材３１ａ，３１ｂの巻取りをロック自在である。第２ロック部７は、巻取部４ａの軸部材４１ａに固定連結され、複数の爪を有する爪部材７１と、爪部材７１の爪とかみ合う複数の爪を有し、摺動自在である摺動部材７２とを含む。【選択図】図３
2015104446.tif 000002
【特許請求の範囲】
【請求項１】
軸部材と、前記軸部材を回転自在に支持する軸受部材とを有する第１巻取部および第２巻取部と、
前記軸部材から垂下し、竿部材の端部に下端部が取り付けられる紐部材と、
前記第１巻取部の前記軸部材および前記第２巻取部の前記軸部材に固定連結される棒状の芯部材と、前記芯部材に巻回され、前記芯部材に第１端部が取り付けられるバネ部材と、前記バネ部材の第２端部を固定する固定部材とを有する巻上バネ部と、
前記第１巻取部の前記軸部材および前記第２巻取部の前記軸部材に連結され、前記第１巻取部および前記第２巻取部による前記紐部材の巻取りをロック自在である第１ロック部と、
前記第１巻取部の前記軸部材に固定連結され、複数の爪を有する爪部材と、前記爪部材の爪とかみ合う複数の爪を有し、摺動自在である摺動部材とを含む第２ロック部と、を備える、物干し装置。
【請求項２】
前記第２ロック部は、前記軸部材の軸方向に垂直な回転軸を有する円板カム部材と、前記摺動部材に対して前記爪部材側と反対側に配置され、前記摺動部材の爪を前記爪部材の爪に押し当てるように前記摺動部材を付勢するバネ部材とを含み、
前記爪部材は前記第１巻取部の前記軸部材の端部に固定連結され、前記爪部材の複数の爪は前記軸部材の軸方向に突出し、
前記摺動部材は、前記円板カム部材が嵌入する孔部を有し、前記軸部材の軸方向に摺動自在である、請求項１に記載の物干し装置。
【請求項３】
天井部に取り付けられ、複数の爪を有する取付部材と、
前記取付部材の爪が嵌合する複数の嵌合部を有し、内部部品を覆うように形成されるカバー部材と、を備える、請求項１または２に記載の物干し装置。
【請求項４】
前記第１巻取部、前記第２巻取部、前記巻上バネ部、前記第１ロック部および前記第２ロック部を貫通および連結する棒状の連結部材を備える、請求項１ないし３のいずれかに記載の物干し装置。
【請求項５】
前記摺動部材および前記爪部材の爪の側面のうち、前記摺動部材および前記爪部材の爪がかみ合ったときに互いに接する側面に、傾斜が付けられている、請求項１ないし４のいずれかに記載の物干し装置。
【請求項６】
先端に第１係合部を有する操作棒を備え、
前記竿部材は、前記竿部材に下向きの力が作用するように、前記第１係合部が係合自在である第２係合部を有し、
前記第２ロック部は、前記摺動部材に摺動方向の力が作用するように、前記第１係合部が係合自在である第３係合部を有する、請求項１ないし５のいずれかに記載の物干し装置。
【発明の詳細な説明】
【技術分野】
【０００１】
本発明は、天井等に設置される物干し装置に関する。
【背景技術】
【０００２】
従来の物干し装置として、例えば、特許文献１に記載のものがある。この物干し装置では、操作ハンドル、水平稈、巻取部および紐状体を備える。巻取部は水平稈の端部に設けられている。紐状体は巻取部から垂下し、紐状体の下端には物干し竿が保持されている。この物干し装置では、操作ハンドルに加えられた回転力が回転伝達機構を介して水平稈に伝達されることで、水平稈が回転する。水平稈とともに巻取部が回転することにより、紐状体は、巻取部に巻き取られたり、巻き戻されたりする。これにより、物干し竿を昇降させることができる。
【先行技術文献】
【特許文献】
【０００３】
【特許文献１】特開２００３−９３７９７号公報
【発明の概要】
【発明が解決しようとする課題】
【０００４】
特許文献１に記載の物干し装置では、操作ハンドルを回転させることにより、物干し竿を昇降させている。操作ハンドルの回転に対する物干し竿の高さ変化が小さいと、物干し竿を所望の高さに昇降させるために、操作ハンドルを何回も回転させる必要がある。一方、操作ハンドルの回転に対する物干し竿の高さ変化が大きいと、物干し竿の高さを所望の高さに調節しにくくなる。
【０００５】
本発明の目的は、竿部材を所望の高さに容易に昇降させ、物干し竿をその高さで確実に保持することができる物干し装置を提供することにある。
【課題を解決するための手段】
【０００６】
本発明の物干し装置は、第１巻取部、第２巻取部、紐部材、巻上バネ部、第１ロック部および第２ロック部を備える。第１巻取部および第２巻取部は、軸部材と、軸部材を回転自在に支持する軸受部材とを有する。紐部材は軸部材から垂下している。竿部材の端部に紐部材の下端部が取り付けられる。巻上バネ部は、棒状の芯部材、バネ部材および固定部材を有する。芯部材は第１巻取部の軸部材および第２巻取部の軸部材に固定連結される。バネ部材は芯部材に巻回される。芯部材にバネ部材の第１端部が取り付けられる。固定部材はバネ部材の第２端部を固定する。第１ロック部は、第１巻取部の軸部材および第２巻取部の軸部材に連結され、第１巻取部および第２巻取部による紐部材の巻取りをロック自在である。第２ロック部は、第１巻取部の軸部材に固定連結され、複数の爪を有する爪部材と、爪部材の爪とかみ合う複数の爪を有し、摺動自在である摺動部材とを含む。
【０００７】
この構成では、巻上バネ部は、第１巻取部および第２巻取部が紐部材を巻き取るように、第１巻取部および第２巻取部を付勢する。巻上バネ部の付勢力に逆らって竿部材を所望の高さに引き下げた後、竿部材から手を放すと、第１ロック部は第１巻取部および第２巻取部による紐部材の巻取りをロックする。これにより、竿部材は所望の高さで保持される。竿部材をもう一度引き下げると、第１ロック部によるロックが解除される。これにより、再び、竿部材を引き下げたり、巻上バネ部の付勢力で竿部材を上げたりできる。このようにして、竿部材を所望の高さに容易に昇降させることができる。
【０００８】
また、爪部材の爪と摺動部材の爪とがかみ合うことにより、第１巻取部および第２巻取部の軸部材が回転しなくなる。すなわち、第２ロック部により、紐部材の巻取りおよび巻き戻しがロックされる。爪部材の爪と摺動部材の爪とが離れることにより、第２ロック部よるロックが解除される。このようにして、竿部材を所望の高さで確実に保持することができる。
【０００９】
本発明の物干し装置では、第２ロック部は円板カム部材およびバネ部材を含む。円板カム部材は軸部材の軸方向に垂直な回転軸を有する。バネ部材は、摺動部材に対して爪部材側と反対側に配置され、摺動部材の爪を爪部材の爪に押し当てるように摺動部材を付勢する。爪部材は第１巻取部の軸部材の端部に固定連結され、爪部材の複数の爪は軸部材の軸方向に突出する。摺動部材は、円板カム部材が嵌入する孔部を有し、軸部材の軸方向に摺動自在である。
【００１０】
この構成では、円板カム部材が回転すると、摺動部材が軸部材の軸方向に摺動するので、爪部材の爪と摺動部材の爪とがかみ合ったり離れたりする。このため、操作棒を用いて円板カム部材を回転させることにより、紐部材の巻取りおよび巻き戻しがロック自在となる。
【００１１】
本発明の物干し装置は取付部材およびカバー部材を備える。取付部材は、天井部に取り付けられ、複数の爪を有する。カバー部材は、取付部材の爪が嵌合する複数の嵌合部を有し、内部部品を覆うように形成される。
【００１２】
この構成では、軽い取付部材を天井等に予め取り付けた後、物干し装置の本体部を取付部材に嵌め込むだけで物干し装置を天井等に固定することができる。
【００１３】
本発明の物干し装置は、第１巻取部、第２巻取部、巻上バネ部、第１ロック部および第２ロック部を貫通および連結する棒状の連結部材を備える。
【００１４】
この構成では、物干し装置の強度を向上させることができる。
【００１５】
本発明の物干し装置では、摺動部材および爪部材の爪の側面のうち、摺動部材および爪部材の爪がかみ合ったときに互いに接する側面に、傾斜が付けられている。
【００１６】
この構成では、規定量以上の洗濯物が干され、摺動部材および爪部材の爪に規定以上の負荷がかかったとき、第２ロック部によるロックが外れる。これにより、規定量以上の洗濯物が物干し装置に干されたことを知ることができるため、物干し装置を設置した天井等の取付面が破壊されることを防止できる。
【００１７】
本発明の物干し装置は、先端に第１係合部を有する操作棒を備える。竿部材は、竿部材に下向きの力が作用するように、第１係合部が係合自在である第２係合部を有する。第２ロック部は、摺動部材に摺動方向の力が作用するように、第１係合部が係合自在である第３係合部を有する。
【００１８】
この構成では、竿部材の引き下げおよび第２ロック部によるロックを１つの操作棒で行うことができる。
【発明の効果】
【００１９】
本発明によれば、竿部材を所望の高さに容易に昇降させ、物干し竿をその高さで確実に保持することができる。
【図面の簡単な説明】
【００２０】
【図１】本実施形態に係る物干し装置の正面図である。
【図２】本実施形態に係る物干し装置の分解斜視図である。
【図３】本実施形態に係る物干し装置の内部部品の正面図である。
【図４】図４（Ａ）は、第１の実施例に係る竿部材３２のリング３２１の外観斜視図である。図４（Ｂ）は、第２の実施例に係る竿部材３２の孔部３２２の外観斜視図である。
【図５】図５（Ａ）は、正面視した第１ロック部６の概念図である。図５（Ｂ）は、側面視した第１ロック部６の概念図である。図５（Ｃ）は、正面視した円筒状部材６２，６３の断面図である。図５（Ｄ）は円筒状部材６２の側面の展開図である。
【図６】第２ロック部７付近の分解斜視図である。
【図７】第２ロック部７付近の正面図である。
【図８】図８（Ａ）は、平面側から見た爪部材７１の外観斜視図である。図８（Ｂ）は、底面側から見た爪部材７１の外観斜視図である。
【図９】図９（Ａ）は、平面側から見たロックカバー部材７５の外観斜視図である。図９（Ｂ）は、底面側から見たロックカバー部材７５の外観斜視図である。
【図１０】図１０（Ａ）は、平面側から見たロック受付部材７４の外観斜視図である。図１０（Ｂ）は、底面側から見たロック受付部材７４の外観斜視図である。
【図１１】図１１（Ａ）は、平面側から見た円板カム部材７３の外観斜視図である。図１１（Ｂ）は、底面側から見た円板カム部材７３の外観斜視図である。
【図１２】図１２（Ａ）は、平面側から見た摺動部材７２の外観斜視図である。図１２（Ｂ）は、底面側から見た摺動部材７２の外観斜視図である。
【図１３】図１３（Ａ）は、ロックがかかっていないときの第２ロック部７の要部を示す断面図である。図１３（Ｂ）は、ロックがかかっているときの第２ロック部７の要部を示す断面図である。
【図１４】本実施形態に係る物干し装置の取付方法を説明する外観斜視図である。
【図１５】本実施形態に係る物干し装置の取付方法を説明する側面断面図である。
【発明を実施するための形態】
【００２１】
本発明の実施形態に係る物干し装置１０について説明する。図１は使用時の物干し装置１０の正面図である。物干し装置１０は、細長状の取付部材１、細長状のカバー部材２１、紐部材３１ａ，３１ｂ、竿部材（物干し竿）３２および操作棒３３を備える。取付部材１は天井等（天井部）に取り付けられる。取付部材１には、カバー部材２１を含む本体部が取り付けられている。カバー部材２１の第１端部付近から紐部材３１ａが垂下し、カバー部材２１の第２端部付近から紐部材３１ｂが垂下している。紐部材３１ａの下端部には竿部材３２の第１端部が取り付けられ、紐部材３１ｂの下端部には竿部材３２の第２端部が取り付けられている。カバー部材２１の第１端部付近から操作棒３３が垂下している。なお、後述のように、第２ロック部７（図２参照）によるロックがかかっていないとき、操作棒３３は物干し装置１０の本体部から取り外される。
【００２２】
図２は物干し装置１０の分解斜視図である。図３は物干し装置１０の内部部品の正面図である。物干し装置１０は、細長状のカバー部材２２、巻取部４ａ，４ｂ、巻上バネ部５、第１ロック部６、第２ロック部７、六角棒形状の連結部材８１および緩行部８２を備える。巻取部４ａは本発明の第１巻取部に相当する。巻取部４ｂは本発明の第２巻取部に相当する。
【００２３】
カバー部材２２は、巻取部４ａ，４ｂ、巻上バネ部５、第１ロック部６および緩行部８２を被覆および挟持している。カバー部材２２はカバー部材２１に固定されている。カバー部材２１，２２から中空部分が形成され、この中空部分に物干し装置１０の内部部品が配置されている。カバー部材２１，２２は形材からなる。カバー部材２１，２２は本発明の「カバー部材」を構成する。
【００２４】
カバー部材２１には細長状の凹部２１１が形成されている。物干し装置１０を使用しないとき、カバー部材２１の凹部２１１に竿部材３２が収納される。カバー部材２１の両端部付近には開口部２１２ａ，２１２ｂが形成され、開口部２１２ａ，２１２ｂから紐部材３１ａ，３１ｂが垂下している。
【００２５】
図４（Ａ）に示すように、竿部材３２の底面の中央部には下向きに突出するリング３２１が形成されている。リング３２１に操作棒３３のＴ型形状の先端部３３１を引っかけて操作棒３３を引くことにより、高所に収納された竿部材３２を引き下げることができる。なお、図４（Ｂ）に示すように、リング３２１の代わりに孔部３２２が形成されていてもよい。孔部３２２の側面には開口部が形成されており、この開口部に操作棒３３の先端部３３１を引っかけることができる。これにより、孔部３２２はリング３２１と同様の機能を果たす。先端部３３１は本発明の第１係合部に相当する。リング３２１および孔部３２２は本発明の第２係合部に相当する。
【００２６】
後述のように、第２ロック部７を操作するためにも操作棒３３が用いられる。すなわち、竿部材３２の引き下げおよび第２ロック部７によるロックを１つの操作棒３３で行うことができる。
【００２７】
連結部材８１は、その延伸方向がカバー部材２１の長手方向に平行になるように配置されている。連結部材８１は中心軸（延伸方向に平行な軸）の周りに回転自在となっている。連結部材８１は、巻取部４ａ，４ｂ、巻上バネ部５、第１ロック部６、第２ロック部７および緩行部８２を貫通および連結している。
【００２８】
カバー部材２１の第１端部付近には巻取部４ａが配置され、カバー部材２１の第２端部付近には巻取部４ｂが配置されている。巻取部４ａは棒状の軸部材４１ａおよび軸受部材４２ａを有する。軸受部材４２ａは、カバー部材２２に固定され、軸部材４１ａの両端部を支持している。軸部材４１ａは中心軸（延伸方向に平行な軸）の周りに回転自在となっている。軸部材４１ａには、紐部材３１ａの上端部が固定され、紐部材３１ａが巻回されている。巻取部４ｂは巻取部４ａと同様に構成されている。すなわち、巻取部４ｂは軸部材４１ｂおよび軸受部材４２ｂを有する。軸部材４１ｂには紐部材３１ｂの上端部が固定されている。
【００２９】
巻上バネ部５は巻取部４ａと巻取部４ｂとの間に配置されている。巻上バネ部５は、棒状の芯部材５１、コイル形状のバネ部材５２および固定部材５３を有する。芯部材５１は連結部材８１により軸部材４１ａ，４１ｂに固定連結されている。軸部材４１ａ，４１ｂ、芯部材５１および連結部材８１は一体として回転自在になっている。バネ部材５２は芯部材５１の第１端部から第２端部まで巻回されている。バネ部材５２の第１端部は芯部材５１に取り付けられ、バネ部材５２の第２端部は固定部材５３に取り付けられている。固定部材５３はカバー部材２２に固定されている。バネ部材５２は、巻取方向（巻取部４ａが紐部材３１ａを巻き取る際の軸部材４１ａの回転方向）に芯部材５１が回転するように芯部材５１を付勢する。このようにして、巻上バネ部５は、巻取部４ａ，４ｂが紐部材３１ａ，３１ｂを巻き取るように巻取部４ａ，４ｂを付勢する。
【００３０】
第１ロック部６は巻取部４ａと巻上バネ部５との間に配置されている。第１ロック部６は連結部材８１の巻取方向の回転をロック自在である。すなわち、第１ロック部６は、巻取部４ａ，４ｂによる紐部材３１ａ，３１ｂの巻取りをロック自在である。一方、第１ロック部６では、連結部材８１の引下方向（巻取方向と反対の方向）の回転に対してロックがかからない。第１ロック部６の詳細については後述する。緩行部８２は、巻取部４ａと第１ロック部６との間に配置され、連結部材８１の回転速度を緩和する。
【００３１】
第２ロック部７は、巻取部４ａに対して巻上バネ部５側と反対側に配置されている。第２ロック部７は爪部材７１および摺動部材７２を備える。爪部材７１は、連結部材８１により巻取部４ａの軸部材４１ａの端部（巻上バネ部５側と反対側の端部）に固定連結されている。爪部材７１は、軸部材４１ａの延伸方向（軸方向）に突出する複数の爪を有する。摺動部材７２は、爪部材７１の爪とかみ合う複数の爪を有し、操作棒３３による操作に応じて軸部材４１ａの延伸方向に摺動する。爪部材７１の爪と摺動部材７２の爪とがかみ合うことにより、連結部材８１すなわち軸部材４１ａ，４１ｂの回転がロックされる。爪部材７１の爪と摺動部材７２の爪とが離れることにより、第２ロック部によるロックが解除される。すなわち、第２ロック部７は、巻取部４ａ，４ｂによる紐部材３１ａ，３１ｂの巻取りおよび巻き戻しをロック自在である。第２ロック部７の詳細については後述する。
【００３２】
物干し装置１０を使用しないとき、竿部材３２は、巻上バネ部５の付勢力によりカバー部材２１の凹部２１１に保持されている。物干し装置１０を使用するとき、まず、巻上バネ部５の付勢力に逆らって竿部材３２を引き下げる。次に、所望の高さで竿部材３２から手を放すと、第１ロック部６は、巻取部４ａ，４ｂによる紐部材３１ａ，３１ｂの巻取りをロックする。これにより、竿部材３２は所望の高さで保持される。次に、竿部材３２をもう一度引き下げると、第１ロック部６によるロックが解除される。これにより、再び、竿部材３２を引き下げたり、巻上バネ部５の付勢力で竿部材３２を上げたりできる。また、巻上バネ部５の付勢力で竿部材３２を収納位置まで戻すことができる。このように、物干し装置１０では、竿部材３２を所望の高さに容易に昇降させることができる。
【００３３】
第１ロック部６では、竿部材３２が下がる方向に対してロックがかからない。このため、第１ロック部６によるロックのみでは、巻上バネ部５の付勢力に比べて竿部材３２を引き下げる力が大きくなると、竿部材３２の高さは保持されない。従って、軽い洗濯物を竿部材３２に干すことは可能であるが、風等の負荷が大きい場合や大量の洗濯物を竿部材３２に干した場合、竿部材３２は最も低い位置まで下がってしまう。第２ロック部７は、上述のように、巻取部４ａ，４ｂによる紐部材３１ａ，３１ｂの巻取りおよび巻き戻しをロック自在である。この結果、物干し装置１０では、竿部材３２を所望の高さで確実に保持することができる。
【００３４】
上述のように、巻取部４ａ，４ｂ、巻上バネ部５、第１ロック部６、第２ロック部７および緩行部８２は、連結部材８１で連結されている。また、カバー部材２１，２２は形材から形成されている。この構造により、内部部品がプラスチックのような弱い強度の素材から形成されていても、必要な強度を有する物干し装置１０を得ることができる。
【００３５】
図５（Ａ）は、正面視した第１ロック部６の概念図である。図５（Ｂ）は、側面視した第１ロック部６の概念図である。第１ロック部６は、支持部材６１、円筒状部材６２，６３、バネ部材６４および金属球６５を備える。支持部材６１はカバー部材２２（図２参照）に固定されている。支持部材６１には円柱状の中空部分６１１が形成され、中空部分６１１の側面には溝部６１２が形成され、中空部分６１１の上面および底面には開口部６１３が形成されている。
【００３６】
中空部分６１１には円筒状部材６２，６３が配置されている。図５（Ｃ）は、正面視した円筒状部材６２，６３の断面図である。円筒状部材６３は、円筒状部材６２の貫通孔に貫入され、支持部材６１に回転自在に固定されている。円筒状部材６２の側面には溝部６２１が形成されている。円筒状部材６３の側面にはバネ部材６４が巻回されている。バネ部材６４の第１端部は円筒状部材６２に固定されている。バネ部材６４において、第１端部から第２端部に向う巻回方向が巻取方向となっている。
【００３７】
支持部材６１の開口部６１３および円筒状部材６３の貫通孔６３１に連結部材８１（図３参照）が貫入されている。円筒状部材６３は連結部材８１に固定されている。支持部材６１の溝部６１２および円筒状部材６２の溝部６２１から形成される空間には金属球６５が移動自在に嵌入されている。このような構成により、連結部材８１の回転に応じて円筒状部材６２が回転すると、支持部材６１の溝部６１２および円筒状部材６２の溝部６２１に対する金属球６５の位置が変化する。
【００３８】
図５（Ｄ）は円筒状部材６２の側面の展開図である。円筒状部材６２の溝部６２１は溝部６２１ａ〜６２１ｃから構成されている。溝部６２１ａは円筒状部材６２の側面を一周している。溝部６２１ｂは溝部６２１ａから枝分かれしている。溝部６２１ｃは溝部６２１ｂから延伸して溝部６２１ａに再び合流している。
【００３９】
竿部材３２（図１参照）がカバー部材２１に収納されているとき、金属球６５は溝部６２１ａに位置する。まず、竿部材３２を引き下げると、連結部材８１および円筒状部材６２，６３が一体で引下方向に回転する。金属球６５の位置は、経路Ｒ１（溝部６２１ａ，６２１ｂに沿う経路）に従って変化し、行止まりＥ１に達する。円筒状部材６２は、金属球６５に引っかかるため、引下方向に回転しなくなる。一方、円筒状部材６３は、バネ部材６４の巻回が弛むため、円筒状部材６２と一体でなくなる。このため、連結部材８１および円筒状部材６３の引下方向の回転はロックされない。このようにして、竿部材３２を所望の高さまで引き下げることができる。
【００４０】
次に、竿部材３２から手を放すと、連結部材８１および円筒状部材６２，６３が一体で巻取方向に回転する。金属球６５の位置は、経路Ｒ２（溝部６２１ｃに沿う経路）に従って変化し、行止まりＥ２に達する。円筒状部材６２は、金属球６５に引っかかるため、巻取方向に回転しなくなる。円筒状部材６３および連結部材８１は、バネ部材６４の巻回が弛まないため、円筒状部材６２とともに回転しなくなる。すなわち、連結部材８１の巻取方向の回転がロックされる。このようにして、竿部材３２を所望の高さで保持することすることができる。
【００４１】
次に、竿部材３２をもう一度引き下げると、連結部材８１および円筒状部材６２，６３が一体で引下方向に回転する。金属球６５の位置は、経路Ｒ３（溝部６２１ｃに沿う経路）に従って変化し、溝部６２１ａに戻る。これにより、第１ロック部６によるロックが解除される。
【００４２】
次に、竿部材３２から手を放すと、連結部材８１および円筒状部材６２，６３が一体で巻取方向に回転する。金属球６５の位置は経路Ｒ４（溝部６２１ａに沿う経路）に従って変化する。このため、連結部材８１の巻取方向の回転はロックされない。この結果、竿部材３２をカバー部材２１に収納することができる。
このように、第１ロック部６は連結部材８１の巻取方向の回転をロック自在となる。
【００４３】
図６は第２ロック部７部付近の分解斜視図である。図７は第２ロック部７付近の正面図である。第２ロック部７は、爪部材７１、摺動部材７２、円板カム部材７３、ロック受付部材７４、ロックカバー部材７５およびコイル形状のバネ部材７６を有する。
【００４４】
図８に示すように爪部材７１は略円板状である。爪部材７１の主面の縁から複数の爪７１１が突出している。爪部材７１の爪７１１の立上面（円周方向に垂直な側面）には傾斜が付けられている。爪部材７１の主面の中心部に貫通孔７１２が形成されている。爪部材７１の貫通孔７１２に連結部材８１が貫入することにより、爪部材７１は連結部材８１に固定されている。上述のように、爪部材７１は巻取部４ａの軸部材４１ａの端部に配置されている。爪部材７１の爪７１１は連結部材８１の延伸方向に突出している。
【００４５】
図９に示すように、ロックカバー部材７５は、平板部７５１と、平板部７５１から立設する平板部７５２とを有する。ロックカバー部材７５の平板部７５１には円形状の開口部７５３が形成されている。ロックカバー部材７５の開口部７５３の縁には開口部７５４が延設されている。ロックカバー部材７５は、平板部７５２の主面が連結部材８１の延伸方向に垂直になるように、カバー部材２１に固定されている。
【００４６】
図１０に示すようにロック受付部材７４は略円柱状を呈する。ロック受付部材７４の第１主面の中心部には突出部７４１が形成されている。ロック受付部材７４の第２主面には略直方体状の凹部７４２が形成されている。凹部７４２は本発明の第３係合部に相当する。
【００４７】
図１１に示すように円板カム部材７３は略円柱状を呈する。円板カム部材７３の第１主面側の側面には延出部７３１が形成されている。円板カム部材７３の第１主面の略中心部には突出部７３２が形成されている。円板カム部材７３の第２主面の略中心部には孔部７３３が形成されている。円板カム部材７３の第２主面側の側面には延出部７３４が形成されている。
【００４８】
円板カム部材７３はロックカバー部材７５の平板部７５１の第１主面（上面）に配置されている。円板カム部材７３は、円板カム部材７３の延出部７３４がロックカバー部材７５の開口部７５４に配置されるように、ロックカバー部材７５の開口部７５３，７５４に嵌入されている。ロック受付部材７４はロックカバー部材７５の平板部７５１の第２主面（下面）に配置されている。ロック受付部材７４の突出部７４１は円板カム部材７３の孔部７３３に嵌入されている。これにより、円板カム部材７３およびロック受付部材７４は、上下方向に平行な軸（連結部材８１の延伸方向に垂直な軸）の周りに０°〜９０°の範囲で一体として回転自在になるように、ロックカバー部材７５に取り付けられる。
【００４９】
摺動部材７２はロックカバー部材７５の平板部７５１の第１主面に配置されている。図１２に示すように摺動部材７２は略直方体状を呈する。摺動部材７２の第１側面から複数の爪７２１が突出している。摺動部材７２の複数の爪７２１は、爪部材７１の爪７１１とかみ合うように円周上に配置されている。摺動部材７２の爪７２１の立上面（円周方向に垂直な側面）には傾斜が付けられている。すなわち、爪部材７１および摺動部材７２の爪７１１，７２２の側面のうち、爪７１１，７２２がかみ合ったときに互いに接する側面に、傾斜が付けられている。摺動部材７２の爪７２１は爪部材７１の爪７１１と対向している。
【００５０】
摺動部材７２の爪７２１による円周の中心部には、貫通孔７２２が形成されている。摺動部材７２が連結部材８１の延伸方向に摺動自在となるように、摺動部材７２の貫通孔７２２に連結部材８１が貫入している。摺動部材７２の底面には凹部７２３が形成されている。摺動部材７２の凹部７２３の底面には溝部７２４が形成されている。摺動部材７２の凹部７２３には円板カム部材７３が回転自在に嵌入されている。摺動部材７２の溝部７２４には円板カム部材７３の突出部７３２が摺動自在に嵌入されている。摺動部材７２はカバー部材２２により摺動自在に挟持されている。これにより、摺動部材７２は連結部材８１の中心軸の周りに回転しない。
【００５１】
摺動部材７２とロックカバー部材７５の平板部７５２との間にはバネ部材７６が配置されている。すなわち、バネ部材７６は、摺動部材７２に対して爪部材７１側と反対側に配置されている。バネ部材７６は、爪部材７１の爪７１１と摺動部材７２の爪７２１とがかみ合うように、摺動部材７２を付勢する。
【００５２】
操作棒３３の先端部３３１には延出部３３２が形成されている。延出部３３２は操作棒の延伸方向に垂直な方向に延出している。すなわち、操作棒３３の先端部３３１はＴ型形状を呈する。カバー部材２１の第１端部には矩形状の開口部２１３が形成されている。
【００５３】
図１３（Ａ）は、ロックがかかっていないときの第２ロック部７の要部を示す断面図である。図１３（Ｂ）は、ロックがかかっているときの第２ロック部７の要部を示す断面図である。ロックがかかっていないとき、爪部材７１の爪７１１と摺動部材７２の爪７２１とは離れている。円板カム部材７３の延出部７３１は爪部材７１側と反対側の方向を向いている。
【００５４】
まず、図６に示すように、カバー部材２１の開口部２１３を介して操作棒３３の先端部３３１をロック受付部材７４の凹部７４２（図１０参照）に嵌入する。次に、操作棒３３を中心軸の周りに９０°回転させると、ロック受付部材７４および円板カム部材７３が９０°回転する。図１３（Ｂ）に示すように、円板カム部材７３の延出部７３１は連結部材８１（図３参照）の延伸方向に垂直な方向を向く。摺動部材７２はバネ部材７６の付勢力により爪部材７１側に摺動する。爪部材７１の爪７１１と摺動部材７２の爪７２１とがかみ合う。これにより、連結部材８１の回転がロックされる。操作棒３３を、ロックをかけた際の回転方向と逆方向に９０°回転させると、第２ロック部によるロックが解除される。
【００５５】
第２ロック部によるロックがかかっているとき、操作棒３３の延出部３３２の延出方向はカバー部材２１の開口部２１３の長手方向と垂直になっている。このため、操作棒３３の先端部３３１がカバー部材２１の開口部２１３に引っかかるので、操作棒３３は物干し装置１０に吊り下げられる。第２ロック部によるロックが解除されたとき、操作棒３３の延出部３３２の延出方向はカバー部材２１の開口部２１３の長手方向と平行になるため、操作棒３３は物干し装置１０から外れる。このため、竿部材３２に洗濯物を干しているとき操作棒３３を物干し装置１０に固定し、竿部材３２を収納するとき操作棒３３を物干し装置１０から取り外すことができる。
【００５６】
また、第２ロック部によるロックがかかっているときのみ、操作棒３３は吊り下げ状態となる。このため、操作棒３３の状態を見ることで、第２ロック部によるロックを確認することができる。これにより、第２ロック部によるロックをかけ忘れることを防止することができる。
【００５７】
また、物干し装置が設置された天井等の取付面は、補強されない場合、強度的に弱い構造となる。このため、大量の洗濯物が物干し装置に干されたとき、物干し装置ではなく、天井の取付面が破壊されてしまうおそれがある。
【００５８】
物干し装置１０では、上述のように、爪部材７１の爪７１１および摺動部材７２の爪７２１の立上面には、傾斜が付けられている。このため、規定量以上の洗濯物が干され、爪７１１，７２１に規定以上の負荷がかかったとき、摺動部材７２は、バネ部材７６の付勢力に勝って爪部材７１側と反対側に摺動する。この結果、かみ合っていた爪７１１，７２１が離れ、第２ロック部によるロックが外れる。これにより、規定量以上の洗濯物が物干し装置１０に干されたことを知ることができるため、天井等の取付面が破壊されることを防止できる。
【００５９】
図１４は、物干し装置１０の取付方法を説明する外観斜視図である。図１５は、物干し装置１０の取付方法を説明する側面断面図である。取付部材１は、平板部１１と、平板部１１の短手方向の両端から立設される平板部１２とを有する。平板部１２の短手方向の端部、かつ、平板部１２の長手方向の両端部付近には、爪１３が形成されている。平板部１１の長手方向の両端部には孔部１４が立設されている。カバー部材２２は嵌合部２２１およびネジ受付部２２２を有する。
【００６０】
まず、取付部材１の平板部１１を天井等の取付面に当接させて、取付部材１を天井等にネジ止めする。次に、カバー部材２１，２２および内部部品を含む本体部を取付部材１に押し込む。取付部材１の爪１３がカバー部材２２の嵌合部２２１に嵌合することにより、本体部が取付部材１に固定される。取付部材１の孔部１４およびカバー部材２２のネジ受付部２２２にネジ３４を貫入することにより、本体部と取付部材１とをネジ止めする。ネジ３４を隠すためのキャップ３５をネジ３４に被せる。これにより、物干し装置１０が天井等に取り付けられる。
【００６１】
大きく重い物干し装置を直接天井等に取り付ける場合、物干し装置を支えながら上向きにネジを締める等の作業が必要となる。この際、上向きに力を加えにくいため、作業工数が多くなりやすい。また、作業中に物干し装置が落下する等の危険が伴う。
【００６２】
物干し装置１０では、軽い取付部材１を天井等に予め取り付けた後、本体部を取付部材１に嵌め込むだけで物干し装置１０を天井等に固定することができる。すなわち、ワンタッチ作業で物干し装置１０を天井等に固定することができる。また、安全のためにネジ３４でネジ止めするため、物干し装置１０を取り付けた後に、物干し装置１０が天井等から落下するおそれがない。
【００６３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６４】
１…取付部材
３１ａ，３１ｂ…紐部材
４ａ，４ｂ…巻取部
５…巻上バネ部
６…第１ロック部
７…第２ロック部
１０…物干し装置
２１，２２…カバー部材
３２…竿部材
３３…操作棒
４１ａ，４１ｂ…軸部材
４２ａ，４２ｂ…軸受部材
５１…芯部材
５２，６４，７６…バネ部材
５３…固定部材
６１…支持部材
６２，６３…円筒状部材
６５…金属球
７１…爪部材
７２…摺動部材
７３…円板カム部材
７４…ロック受付部材
７５…ロックカバー部材
８１…連結部材
８２…緩行部
【図１】
2015104446.tif 000003
【図２】
2015104446.tif 000004
【図３】
2015104446.tif 000005
【図４】
2015104446.tif 000006
【図５】
2015104446.tif 000007
【図６】
2015104446.tif 000008
【図７】
2015104446.tif 000009
【図８】
2015104446.tif 000010
【図９】
2015104446.tif 000011
【図１０】
2015104446.tif 000012
【図１１】
2015104446.tif 000013
【図１２】
2015104446.tif 000014
【図１３】
2015104446.tif 000015
【図１４】
2015104446.tif 000016
【図１５】
2015104446.tif 000017